(57)【要約】可剥性袋（１）は：第１の層（２）、第２の層（３）、製品（７）を囲むための区画（４）であって、第１および第２の層（２、３）との間に、第１および第２の層（２、３）を区画密封部分（４０）に沿って可剥性密封することによって形成される区画（４）であり、第１および第２の層（２、３）の近位部分（２３、３３）および２つの側部部分（２０、２１、３０、３１）の少なくとも一部に沿って、ならびに第１（２４、３４）および第２のブランチ部分（２５、３５）に沿って延びる区画、第１の層（２）のみに与えられる第１の引裂き促進手段（５０）、第２の層（３）のみに与えられる第２の引裂き促進手段（５１）、および第１および第２の層（２、３）の両方に与えられ、第１および第２のブランチ部分（２４、３４、２５、３５）が交わる位置（２６）に向かう方向に延びる第３の引裂き促進手段（５２）を含む。
2011509890.tif 000002
【特許請求の範囲】
【請求項１】
少なくとも１つの製品（７）を含有するための可剥性袋（１；１ａ、１ｂ）であって：
２つの側部部分（２０、２１；２０ｂ、２１ｂ）、遠位部分（２２；２２ｂ）および近位部分（２３）を含む周辺部分を有する第１の層（２）；
第１の層の各部分に対応する、２つの側部部分（３０、３１；３０ｂ；３１ｂ）、遠位部分（３２；３２ｂ）および近位部分（３３）を含む周辺部分を有する第２の層（３）；
製品（７）を囲むための区画（４）であって、第１および第２の層（２、３）との間に、第１および第２の層（２、３）を区画密封部分（４０）に沿って可剥性密封することによって形成される区画（４）であり、第１および第２の層（２、３）の近位部分（２３、３３）および２つの側部部分（２０、２１、３０、３１；２０ｂ、２１ｂ、３０ｂ、３１ｂ）の少なくとも一部に沿って、ならびに第１（２４、３４）および第２のブランチ部分（２５、３５）に沿って延び、第１および第２のブランチ部分（２４、３４、２５、３５）が側部部分、遠位部分および近位部分に対して斜めに延び、区画密封部分（４０）が区画（４）の形状を規定する閉じた境界を規定するように互いに交わる（２６）区画（４）；
第１の層（２）のみに与えられ、側部部分の一方に向かう方向に延びる第１の引裂き促進手段（５０）；
第２の層（３）のみに与えられ、側部部分の他方に向かって延びる第２の引裂き促進手段（５１）；
第１および第２の層（２、３）の両方に与えられ、第１および第２のブランチ部分（２４、３４、２５、３５）が交わる位置（２６）に向かう方向に延びる第３の引裂き促進手段（５２；５２ａ）
を含む、可剥性袋。
【請求項２】
第１の引裂き促進手段（５０）が、第１のブランチ部分（２４、３４）に対して本質的に平行に延び、第２の引裂き促進手段（５１）が、第２のブランチ部分（２５、３５）に対して本質的に平行に延びる、請求項１に記載の可剥性袋。
【請求項３】
第３の引裂き促進手段（５２ａ）が、遠位部分（２２、３２；２２ｂ、３２ｂ）の外側縁部から直ぐに始まり、第１および第２のブランチ部分（２４、３４、２５、３５）が交わる位置（２６）に向かう方向に延びる、請求項１または２のいずれか一項に記載の可剥性袋。
【請求項４】
第３の引裂き促進手段（５２）が、遠位部分（２２、３２）の外側縁部とは距離を置いて始まり、第１および第２のブランチ部分（２４、３４、２５、３５）が交わる位置（２６）に向かう方向に延びる、請求項１または２のいずれか一項に記載の可剥性袋。
【請求項５】
折りたたみ線（６）が、第３の引裂き促進手段（５２）と交差するような距離で、遠位部分（２２、３２）の外側縁部と平行に走るように与えられる、請求項４に記載の可剥性袋。
【請求項６】
折りたたみ線（６）が、第１（２）および／または第２の層（３）の外面上に印刷された標識によって与えられる、請求項５に記載の可剥性袋。
【請求項７】
第１の引裂き促進手段（５０）および／または第２の引裂き促進手段（５１）および／または第３の引裂き促進手段（５２；５２ａ）が、点線、スリットまたは弱線である、請求項１から６のいずれか一項に記載の可剥性袋。
【請求項８】
第３および第４のブランチ部分（２７、３７、２８、３８）が、第１および第２の層（２、３）が互いに可剥性密封されている場所に与えられ、第３および第４のブランチ部分（２７、３７、２８、３８）が、第１および第２のブランチ部分（２４、３４、２５、３５）から距離を置いて、これらと平行に走り、第１および第２の引裂き促進手段（５０、５１）が、それぞれ第１（２４、３４）と第３（２７、３７）および第２（２５、３５）と第４（２８、３８）のブランチ部分の間に位置するように、互いに交わる（３６）、請求項１から７のいずれか一項に記載の可剥性袋。
【請求項９】
第１および第２の層（２、３）が、遠位部分（２２、３２）に沿って可剥性密封され、ここで第５のブランチ部分（２９）が、第１および第２の層が互いに可剥性密封される場所に与えられ、この第５のブランチ部分（２９）が、第３および第４のブランチ部分が交わる位置（３６）から、第１および第２の層（２、３）が可剥性密封される遠位部分（２２、３２）まで延びる、請求項８に記載の可剥性袋。
【請求項１０】
密封領域（２１０ｂ、３１０ｂ、２００ｂ、３００ｂ）が、遠位部分（２２ｂ、３２ｂ）の隅において遠位部分（２２ｂ、３２ｂ）にのみ与えられ、第１および第２の層（２、３）が、密封領域（２１０ｂ、３１０ｂ、２００ｂ、３００ｂ）にて可剥性密封される、請求項１から７のいずれか一項に記載の可剥性袋。
【発明の詳細な説明】
【技術分野】
【０００１】
本発明は、独立請求項の特徴によって規定されるような可剥性袋に関する。
【背景技術】
【０００２】
経口消費性フィルムは、口臭予防剤、薬学的に活性な化合物、およびその他の製菓のような種々の物質を分配するために重要な消費者製品になっている。経口消費性フィルムに限定されないが、これらを含む個々に含有された単一剤形のパッキングは、ますます人気が高まっている。医薬市場におけるこの明らかな利点の１つは、個々の単一剤形のパッキングにより、不測の過剰摂取の危険性が減ることである。さらに、消費者は、個々に包装された製品を開封するときに得られる感覚を好むが、これは消費者が、製品がパッキングされてから現品を取り扱ったのは自分だけであることがわかるからである。さらに、個々にパッキングされた製品内では、他の調剤により汚染される、または湿分、光もしくは空気への暴露により効力が低下する可能性が排除される。
【０００３】
個々にパッキングされた製品の利益には幾つかの欠点が伴う。これらの欠点は、経口消費性フィルムを頻繁に使用するような特定の場合、即ち飴、口臭予防剤用などの場合にはさほど重要ではないかもしれない。しかし、薬学的活性製品にとってはより重要な場合がある。個々に包装された製品、特に薬剤のような小さい製品は、幼い子供にとって飴に似ていることが多い。内容物についての書面での警告は、読むことができない子供にとっては有効でない。
【０００４】
ＷＯ２００６／０１７４６２には、上述の欠点の多くを克服するために可剥性袋が示唆されている。１つの実施形態において、可剥性袋は、フィルムを含有するための本質的に長方形の区画を含み、この袋には密封された袋の側部周辺部分にて引裂きを促進するスリットが設けられている。引裂き促進スリットは、製品を囲む区画の方向を向き、区画の上方端部付近にて、袋の側部外側縁部からは距離を置いて配置され、子供が誤って開封できないようになっている。その代わりに、袋を開封可能にするために、袋は、スリットに到達し、生じる引裂きが区画の上方端部を横切って完全に横方向に延びるまでスリットに沿って袋を引裂くことができ、その結果として袋の上方端部部分が引裂かれるように、引裂き促進スリットと交わって折りたたまなければならない（少なくとも部分的に折りたたみ線に沿って）。この第１の引裂き工程が完了したら、袋の２つの層は、指で掴まれなければならず、区画を開封し、この中に含有されるフィルムに到達するように、袋の側部の可剥性に密封された部分に沿って剥がさなければならない。
【０００５】
この袋は、子供が袋を誤って開封できないことを意味する「小児用安全」であると考えられるが、依然として特定の欠点を有する。まず第１に、製品が飴または口臭予防剤の場合などのように重要でない場合でも、パッケージは依然として小児用安全であり、子供は、たとえ望んだとしても開封できない。しかし、より重要なことは、まず袋の上方部分を引裂き、この引裂いた上方部分を捨て、袋の２つの層を再び掴み、これらを剥がすことによって区画に囲まれたフィルムに到達する手順が、面倒なことである。
【先行技術文献】
【特許文献】
【０００６】
【特許文献１】国際公開第２００６／０１７４６２号
【発明の概要】
【発明が解決しようとする課題】
【０００７】
従って、開封がより簡便であり、製造が簡便で、区画に含有されるべき製品に依存して小児用安全であってもなくてもよい可剥性袋を示唆することが本発明の目的である。
【課題を解決するための手段】
【０００８】
この目的は、独立請求項の特徴によって特徴付けられるように、本発明に従う可剥性袋によって達成される。本発明に従う袋の有利な実施形態は、従属請求項の主題である。
【０００９】
特に、少なくとも１つの製品を含有する可剥性袋は：
２つの側部部分、遠位部分および近位部分を含む周辺部分を有する第１の層；
第１の層の各部分に対応する、２つの側部部分、遠位部分および近位部分を含む周辺部分を有する第２の層；
製品を囲むための区画であって、第１および第２の層との間に、第１および第２の層を区画密封部分に沿って可剥性密封することによって形成される区画であり、第１および第２の層の近位部分および２つの側部部分の少なくとも一部に沿って、ならびに第１および第２のブランチ部分に沿って延び、第１および第２のブランチ部分が側部部分、遠位部分および近位部分に対して斜めに延び、区画密封部分が区画の形状を規定する閉じた境界を規定するように互いに交わる区画；
第１の層のみに与えられ、側部部分の一方に向かう方向に延びる第１の引裂き促進手段；
第２の層のみに与えられ、側部部分の他方に向かって延びる第２の引裂き促進手段；
第１および第２の層の両方に与えられ、第１および第２のブランチ部分が交わる位置に向かう方向に延びる第３の引裂き促進手段
を含む。
【００１０】
第３の引裂き促進手段（例えばスリット）が配置される場所に依存して、袋は、「小児用安全」であることもでき、またはそうでなくてもよい。袋を開封したいユーザーは、第３の引裂き促進手段の両側にて２つの部分を掴み、背面に向かって一方の部分を押し、前面に向かって他方の部分を引く。これにより、第３の引裂き促進手段は、こうして生じた引裂きが、それぞれ第１層のみおよび第２層のみに与えられた第１および第２の引裂き促進手段（例えばスリット）に到達するまで引裂く。次いで、袋が第１および第２の引裂き促進手段に沿って完全に裂けるまで、同じ「引くおよび押す」動作を行い続ける間、袋は、第１の引裂き促進手段に沿って、および第２の引裂き促進手段に沿ってさらに引裂かれる。フィルムは、こうして露呈され、ユーザーによって容易に到達可能になる。同時に袋は製造が容易である。
【００１１】
本発明に従う可剥性袋の実施形態の１つでは、第１の引裂き促進手段は、第１のブランチ部分に対して本質的に平行に延び、第２の引裂き促進手段は、第２のブランチ部分に対して本質的に平行に延びる。この実施形態は、袋の開封中良好な挙動を示す。
【００１２】
本発明に従う可剥性袋の別の実施形態において、第３の引裂き促進手段は、遠位部分の外側縁部から直ぐ始まり、第１および第２のブランチ部分が交わる位置に向かう方向に延びる。この実施形態は、飴または口臭予防剤などのように区画中に含有される製品（即ちフィルム）が重要でない場合に有利である。またこの実施形態により、子供は区画に含有される製品を容易に手にすることができる。
【００１３】
本発明に従う可剥性袋の別の実施形態において、第３の引裂き促進手段は、遠位部分の外側縁部とは距離を置いて始まり、第１および第２のブランチ部分が交わる位置に向かう方向に延びる。この実施形態は、第３の引裂き促進手段に沿って袋を引裂こうとする試みが失敗するので「小児用安全」である。
【００１４】
上述の実施形態のさらなる態様に従って、折りたたみ線は、折りたたみ線が第３の引裂き促進手段と交差するような距離にて、遠位部分の外側縁部に対して平行に走るように与えられる。袋が折りたたみ線に沿って折りたたまれる場合、第３の引裂き促進手段（例えばスリット）は、到達可能になり、袋を開封して、区画に含有される製品に到達できるようにするために「押すおよび引く」動作を上述したように行うことができる。言うまでもなく、この実施形態は、製品が薬学的に活性な物質を含有している場合、または袋が何らかの理由により「小児用安全」であることが望まれる場合に特に好適である。
【００１５】
上述の実施形態のさらなる態様に従って、折りたたみ線は、第１および／または第２の層の外面上に印刷される標識によって与えられる。こうした印刷された標識は、袋を折りたたむ場所をユーザーに示すのに適している。
【００１６】
既に述べたように、本発明のさらなる態様に従って、第１の引裂き促進手段および／または第２の引裂き促進手段および／または第３の引裂き促進手段は、点線、スリットまたは弱線である。これらは、点線、スリットまたは弱線を生じるための周知の技術を用いて製造できる。
【００１７】
本発明の袋のさらなる実施形態に従って、第３および第４のブランチ部分は、第１および第２の層が互いに可剥性密封されている場所に与えられ、第３および第４のブランチ部分は、第１および第２のブランチ部分から距離を置いて、これらと平行に走り、第１および第２の引裂き促進手段が、それぞれ第１と第３および第２と第４のブランチ部分の間に位置するように、互いに交わる。これは、袋の改善された引裂き挙動により、開封中に袋を取り扱う簡便さを増大させる。
【００１８】
本発明に従う袋の上述の実施形態のさらなる態様において、第１および第２の層は、遠位部分に沿って可剥性密封され、ここで第５のブランチ部分が、第１および第２の層が互いに可剥性密封される場所に与えられ、この第５のブランチ部分は、第３および第４のブランチ部分が交わる位置から、第１および第２の層が可剥性密封される遠位部分まで延びる。この実施形態はさらに、袋の引裂き挙動を改善するので、開封中の袋の取り扱いをなおもさらに改善する。
【００１９】
本発明に従う袋の別の実施形態において、密封領域は、遠位部分の隅において遠位部分にのみ与えられ、第１および第２の層は、密封領域にて可剥性密封される。これは、密封されるべき部分が、上述の実施形態の場合よりも小さいので、良く作用し、製造費を削減する代替実施形態である。
【００２０】
本発明のさらなる有利な態様は、図面を補助として、本発明に従う袋の実施形態の次の詳細な説明から明らかである：
【図面の簡単な説明】
【００２１】
【図１】本発明に従う可剥性袋の第１の実施形態を示す。
【図２】本発明に従う可剥性袋の第２の実施形態を示す。
【図３】本発明に従う可剥性袋の第３の実施形態を示す。
【図４】図２に示される袋の実施形態を開封するために行われるべき操作を表す順序を示す。
【発明を実施するための形態】
【００２２】
図１において、本発明に従う可剥性袋１の第１の実施形態を示す。この第１の実施形態は、第１の層、ここでは上部層２、および第２の層、ここでは基部層３を含む。各層２、３は、それぞれ２つの側部部分２０、２１、３０、３１、遠位部分２２、３２および近位部分２３、３３を有する。上部層２および基部層３は、可剥性密封され、斜線で示されるこれらの部分は密封されている。区画４は、区画密封部分４０に沿って第１および第２の層を密封することで第１の層２および第２の層３の間に形成され、それぞれ、近位部分２２、３３に沿って、２つの側部部分２０、２１、３０、３１の一部分に沿って、および第１の層２および第２の層３の第１および第２のブランチ部分２４、２５、３４、３５に沿って延びる。第１および第２のブランチ部分２４、２５、３４、３５は、袋１の内部に向かって側部部分、遠位部分および近位部分に対して斜めに延び、位置２６にて互いに交わり、その結果区画の密封部分４０は、区画４の形状を規定する閉じた領域を規定する。
【００２３】
第３および第４のブランチ部分２７、２８、３７、３８は、第１および第２の層２、３がまた可剥性密封される場所に提供される。この実施形態において（強制ではないが）第３および第４のブランチ部分２７、２８、３７、３８は、それぞれ第１および第２ブランチ部分２４、２５、３４、３５と平行に、これらから距離を置いて走り、位置３６にて交わる。第５のブランチ部分２９、３９は、位置３６から遠位部分２２、３２に向かって延び、そこで第１および第２の層２、３は可剥性密封されている。最後に、側部部分２０、２１、３０、３１に沿って、ならびに遠位部分２２、３２に沿って延びる追加の密封部分（斜線で示す。）が存在する。
【００２４】
第１の引裂き促進手段は、スリット５０の形態で第１の層２にのみ与えられ、第１および第３のブランチ部分２４、２７、３４、３７の間で、これらと平行に延びる。同様の様式において、第２の引裂き促進手段は、スリット５１の形態で第２の層３にのみ与えられ、第２および第４のブランチ部分２５、２８、３５、３８の間で、これらと平行に延びる。スリット５２の形態の第３の引裂き促進手段は、第１の層２および第２の層３の両方に与えられる。スリット５２は、第１および第２層の遠位部分２２、３２の外側縁部から距離を置いて始まるように配置され、第１および第２のブランチ部分２４、３４、２５、３５が交わる位置２６に向かう（およびさらに第３および第４のブランチ部分２４、２５、３４、３５が交わる位置３６に向かう）方向に延びるように配置される。また、スリット５２は、第５のブランチ部分２９、３９の一部に沿って走るように配置される。
【００２５】
図１からさらにわかるように、遠位部分２２、３２の外側縁部に対して平行に走り、遠位部分２２、３２の外側縁部から距離を置いて配置される折りたたみ線６が存在するので、折りたたみ線６はスリット５２と交差するようになる。折りたたみ線６は、第１または第２の層２、３の外面上、または両方の層上に印刷された標識によって提供できる。
【００２６】
最後に、フィルム７のような製品は、区画４中に含有されるように点線で示される。フィルム７に到達する方法を図４に関してより詳細に記載する。
【００２７】
図２は、本発明に従う袋１ａの第２の実施形態を示し、これは図１に示される袋１の実施形態に比較的類似している。故に、類似部品は、図２に示される袋１ａの次の説明にて同様の参照記号を割り当てられ、この説明では、袋１と比較した場合に袋１ａの実施形態との相違だけに限る。この相違は、スリット５２ａの形態の第３の引裂き促進手段の配置にあり、これは遠位部分２２、３２の外側縁部にて直接始まり、袋１のスリット５２よりも長い。この相違は、フィルム７に到達するための方法を説明する際に言及される。
【００２８】
本発明に従う袋１ｂの第３の実施形態を図３に示す。同様に、類似部品は、図１および図２に示される実施形態と比較した場合に同様の参照番号を割り当てる。袋１ｂの第３の実施形態は、図２に示される袋１ａの実施形態に類似するが、側部部分２０ｂ、３０ｂ、２１ｂ、３１ｂ全体に沿って、および遠位部分２２ｂ、３２ｂ全体に沿って密封される代わりに、２つの密封領域２００ｂ、３００ｂ、２１０ｂ、３１０ｂだけが、遠位部分２２ｂおよび３２ｂのそれぞれの隅に与えられる。
【００２９】
到達する方法についての次の説明は、特に、図２に示される袋の実施形態１ａを対象とする。これは、図３に示される袋１ｂの実施形態にも類似の様式であてはまる。図１に示される袋１の実施形態に関して、唯一の相違は、スリット５２に到達するために、スリット５２に沿って袋を引裂き始めることができるように、ユーザーが折りたたみ線６に沿って袋を折りたたまなければならないことである。スリット５２のこうした配置は、袋１を「小児用安全」にするが、袋１ａの実施形態および袋１ｂの実施形態は「小児用安全」ではない。
【００３０】
図４に示されるように、左端に示される袋１ａの表示は、区画４に含有されるフィルム７とともに閉じた状態の袋１ａを示す。スリット５２ａならびにスリット５０は、同様にそうした表示中に見ることができる。左から２番目の表示によれば、フィルム７に到達するために、ユーザーは、生じた裂けがそれぞれスリット５０、５１に到達するまで、袋１ａの遠位部分２２、３２の左半分を掴み、これらを矢印８０の方向に引き、同時に袋１ａの遠位部分２２、３２の右半分を矢印８１の方向に押し、袋が位置２６、３６（図１参照）に向かう方向に破け始めるようにしなければならない。それぞれ図４の中央の表示を参照のこと。スリット５０は第１の層２にのみ与えられ、スリット５１は第２の層３にのみ与えられ、袋１ａの破れは、図４において右から２番目の表示に示されるように、押すおよび引く動作を単純に継続している間は、それぞれスリット５０および５１に沿って継続する。この時、第１の層２は、第２の層３から剥がされ、故に区画４が開封され始める。袋１ａがスリット５０および５１に沿って完全に破けたとき、第１の層２はさらに、第２の層３から、それぞれ側部部分２０、３０および２１、３１に沿って走る区画密封部分に沿って剥がれる。従ってストリップ７は、ユーザーがこれを掴み、矢印８２によって図４に示されるように袋１ａの外に引っ張る、または製品に触れることなく口に直接入れることさえできる程度に露出する。
【００３１】
いうまでもなく、袋の層は、密封されることを目的とする領域にて少なくとも密封可能でなければならない。また、スリット５０、５１、５２、５２ａを与える代わりに、上述の様式で開封される場合に、袋が点線またはその他の弱線のような他の好適な引裂き促進手段に沿って破けるように、これらを与えることは十分想定可能である。
【図１】
2011509890.tif 000003
【図２】
2011509890.tif 000004
【図３】
2011509890.tif 000005
【図４】
2011509890.tif 000006
【国際調査報告】
2011509890.tif 000007
2011509890.tif 000008